(57)【要約】【課題】通信端末を利用するユーザーの人間形成に寄与する。【解決手段】ロック解除システム１は、出題端末２が提供する問題情報及び当該問題情報に紐付いた正答情報を利用して、通信端末３における所定の機能のロックの解除を行う。通信端末３は、インターネットＩＮを経由して出題端末２から問題情報及び正答情報を取得する問題取得部２３と、問題取得部２３で取得された問題情報を出力すると共に、出力した問題情報に対応する解答情報が入力可能なタッチパネル１４と、タッチパネル１４で入力された解答情報が問題取得部２３で取得された正答情報に一致するか否かで正誤を判定する正誤判定部２４と、所定の条件を満たすことで当該通信端末３における所定の機能のロックを行うと共に、正誤判定部２４で正解と判定された場合に当該通信端末３における所定の機能のロックの解除を行うロック・解除部２５と、を備えている。【選択図】図６
2019207309.tif 000002
【特許請求の範囲】
【請求項１】
出題端末が提供する問題情報及び該問題情報に紐付いた正答情報を利用して、通信端末における所定の機能のロックの解除を行うロック解除システムであって、
前記通信端末は、
インターネットを経由して前記出題端末から前記問題情報及び前記正答情報を取得する問題取得部と、
前記問題取得部で取得された前記問題情報を出力する問題出力部と、
前記問題出力部で出力された前記問題情報に対応する解答情報が入力可能な解答入力部と、
前記解答入力部で入力された前記解答情報が前記問題取得部で取得された前記正答情報に一致するか否かで正誤を判定する正誤判定部と、
所定の条件を満たすことで前記ロックを行うと共に、前記正誤判定部で正解と判定された場合に前記解除行うロック・解除部と、を備えていることを特徴とする
ロック解除システム。
【請求項２】
前記問題情報及び前記正答情報は、逐次刊行物に基づくものであり、且つ逐次変更されるものであることを特徴とする
請求項１に記載のロック解除システム。
【請求項３】
前記通信端末は、
現在の時刻を刻む時計部と、
前記ロックが行われる時刻が入力可能な時刻入力部と、
前記時刻入力部で入力された時刻が現在の時刻と一致するか否かを判定する時刻判定部と、を備え、
前記ロック・解除部は、前記時刻判定部で、現在の時刻が前記時刻入力部で入力された時刻に一致すると判定されたことを契機に前記ロックを行うことを特徴とする
請求項１又は２に記載のロック解除システム。
【請求項４】
前記通信端末は、前記問題情報の内容及び量を設定するための設定情報が入力可能な設定情報入力部を備え、
前記問題取得部は、前記設定情報入力部で入力された前記設定情報に基づいて、前記問題情報及び前記正答情報を取得することを特徴とする
請求項１〜３のいずれかに記載のロック解除システム。
【請求項５】
請求項１〜４のいずれかに記載のロック解除システムを実現するために、前記通信端末にインストールされることを特徴とするロック解除プログラム。
【発明の詳細な説明】
【技術分野】
【０００１】
本発明は、通信端末の機能のロック及びその解除を行うシステム、及び通信端末にインストールされるロック解除プログラムに関する。
【背景技術】
【０００２】
人々が情報を取得する媒体は、新聞や雑誌等の逐次刊行物から、スマートフォンやタブレット等の通信端末に移行しつつあり、通信端末が手放せない状況にある。特に新聞で取得される情報は、専門家によって取材及び検証が行われ、正しい言葉で校閲され、カテゴリー別に優先順位に沿って掲載されたものであり、内容や表現に偏りは少ない。一方、通信端末で取得される情報は、ＳＮＳ（ソーシャル・ネットワーキング・サービス）やフェイクニュースから取得されるものを含んでいるので、また、ユーザーの興味で収集される検索型であるので、内容や表現に偏りがある。このため、子供が新聞無しに通信端末だけで情報を収集することは、人間形成に支障を来す可能性がある。そこで、親は子供に対し、通信端末の利用に制限を設け、少しでも新聞を読むことを期待する。
【０００３】
例えば、特許文献１〜４に開示されている通信端末の機能のロックをする技術を採用することで、定められた時間帯に操作を無効にすることができ、通信端末の利用に制限を設けることができる。
【先行技術文献】
【特許文献】
【０００４】
【特許文献１】特開２０１８−０６６９７２号公報
【特許文献２】特開２０１８−０６６９８８号公報
【特許文献３】特許第６３０９６８１号公報
【特許文献４】特開２０１８−０６６９９０号公報
【発明の概要】
【発明が解決しようとする課題】
【０００５】
しかしながら、通信端末の利用に制限を設けるだけでは、新聞を読むことにつながらず、取得される情報に偏りがあることは解消されない。このため、通信端末の利用に制限を設けるだけでなく、取得される情報の偏りを減らすことで、通信端末を利用するユーザーの人間形成に寄与することが求められる。
【０００６】
本発明は、上記課題を鑑みてなされたものであり、通信端末を利用するユーザーの人間形成に寄与するロック解除システム及びロック解除プログラムを提供することを目的とする。
【課題を解決するための手段】
【０００７】
（１）本発明は、出題端末が提供する問題情報及び該問題情報に紐付いた正答情報を利用して、通信端末における所定の機能のロックの解除を行うロック解除システムであって、前記通信端末は、インターネットを経由して前記出題端末から前記問題情報及び前記正答情報を取得する問題取得部と、前記問題取得部で取得された前記問題情報を出力する問題出力部と、前記問題出力部で出力された前記問題情報に対応する解答情報が入力可能な解答入力部と、前記解答入力部で入力された前記解答情報が前記問題取得部で取得された前記正答情報に一致するか否かで正誤を判定する正誤判定部と、所定の条件を満たすことで前記ロックを行うと共に、前記正誤判定部で正解と判定された場合に前記解除を行うロック・解除部と、を備えていることを特徴とするロック解除システムである。
【０００８】
本発明によれば、所定の条件を満たすことで通信端末における所定の機能のロックが行われるので、通信端末の利用に制限を設けることができる。また、出題端末から取得した問題情報に解答させ、正解と判定されることでロックの解除が行われるので、通信端末を利用するユーザーに対し、正解と判定されるために必要な情報の収集を行わせることになる。すなわち、幅広い視野を持つための情報を多く収集させる環境を作ることができる。これにより、通信端末を利用するユーザーに取得される情報の偏りを減らすことができる。結果、通信端末を利用するユーザーの人間形成に寄与することができる。
【０００９】
（２）本発明はまた、前記問題情報及び前記正答情報は、逐次刊行物に基づくものであり、且つ逐次変更されるものであることを特徴とする上記（１）に記載のロック解除システムである。
【００１０】
本発明によれば、通信端末を利用するユーザーに対し、逐次刊行物に基づく情報の収集を行わせることになる。これにより、通信端末を利用するユーザーに取得される情報の偏りを大きく減らすことができる。結果、通信端末を利用するユーザーの人間形成に大きく寄与することができる。
【００１１】
（３）本発明はまた、前記通信端末は、現在の時刻を刻む時計部と、前記ロックが行われる時刻が入力可能な時刻入力部と、前記時刻入力部で入力された時刻が現在の時刻と一致するか否かを判定する時刻判定部と、を備え、前記ロック・解除部は、前記時刻判定部で、現在の時刻が前記時刻入力部で入力された時刻に一致すると判定されたことを契機に前記ロックを行うことを特徴とする上記（１）又は（２）に記載のロック解除システムである。
【００１２】
本発明によれば、通信端末を利用するユーザーに対し、情報の収集を逐次行わせることになる。これにより、通信端末を利用するユーザーに取得される情報の偏りを大きく減らすことができる。結果、通信端末を利用するユーザーの人間形成に大きく寄与することができる。
【００１３】
（４）本発明はまた、前記通信端末は、前記問題情報の内容及び量を設定するための設定情報が入力可能な設定情報入力部を備え、前記問題取得部は、前記設定情報入力部で入力された前記設定情報に基づいて、前記問題情報及び前記正答情報を取得することを特徴とする上記（１）〜（３）のいずれかに記載のロック解除システムである。
【００１４】
本発明によれば、通信端末を利用するユーザーの能力に応じて問題情報の内容及び量を設定しておくことで、ユーザーに対し、その能力に応じて情報の収集を行わせることができる。これにより、通信端末を利用するユーザーに取得される情報の偏りを、ユーザーの能力に応じて減らすことができる。結果、通信端末を利用するユーザーの人間形成に、ユーザーの能力に応じて寄与することができる。
【００１５】
（５）本発明はまた、上記（１）〜（４）のいずれかに記載のロック解除システムを実現するために、前記通信端末にインストールされることを特徴とするロック解除プログラムである。
【００１６】
本発明によれば、所定の条件を満たすことで通信端末における所定の機能のロックが行われるので、通信端末の利用に制限を設けることができる。また、出題端末から取得した問題情報に解答させ、正解と判定されることでロックの解除が行われるので、通信端末を利用するユーザーに対し、正解と判定されるために必要な情報の収集を行わせることになる。すなわち、幅広い視野を持つための情報を多く収集させる環境を作ることができる。これにより、通信端末を利用するユーザーに取得される情報の偏りを減らすことができる。結果、通信端末を利用するユーザーの人間形成に寄与することができる。
【発明の効果】
【００１７】
本発明の上記（１）〜（４）に記載のロック解除システム、及び上記（５）に記載のロック解除プログラムによれば、通信端末を利用するユーザーに取得される情報の偏りを減らすことができる。ひいては、通信端末を利用するユーザーの人間形成に寄与することができる。
【図面の簡単な説明】
【００１８】
【図１】本発明の実施形態に係るロック解除システムの構成を示す概略図である。
【図２】通信端末の構成を示すブロック図である。
【図３】通信端末のタッチパネルに表示されるスタート画面の画像を示す概略図である。
【図４】通信端末のタッチパネルに表示される１番目の管理者画面の画像を示す概略図である。
【図５】通信端末のタッチパネルに表示される２番目の管理者画面の画像を示す概略図である。
【図６】通信端末のタッチパネルに表示される解答画面の画像を示す概略図である。
【図７】通信端末のタッチパネルに表示される緊急画面の画像を示す概略図である。
【発明を実施するための形態】
【００１９】
以下、図面を参照して、本発明の実施形態に係るロック解除システム１について詳細に説明する。
【００２０】
まず、図１〜図３を用いて、ロック解除システム１の構成について説明する。図１は、本発明の実施形態に係るロック解除システム１の構成を示す概略図である。図２は、通信端末３の構成を示すブロック図である。図３は、通信端末３のタッチパネル１４に表示されるスタート画面の画像を示す概略図である。
【００２１】
図１に示すロック解除システム１は、出題端末２が提供する問題情報及び当該問題情報に紐付いた正答情報を利用して、通信端末３における所定の機能（「電話等の緊急モードで利用可能な機能」以外の機能）のロック及びその解除を行うものである。具体的に、ロック解除システム１では、出題端末２が提供する問題情報に対し、通信端末３のユーザーが解答し、正解と判定されることで、通信端末３における所定の機能のロックの解除が行われる。
【００２２】
出題端末２は、インターネットＩＮに接続されており、通信端末３に対し、問題情報及び正答情報を提供する。問題情報及び正答情報は、新聞や雑誌等の紙で発行される逐次刊行物に基づくものであり、且つ逐次変更されるものであることが好ましいが、通信端末３を利用するユーザーに対し、正解と判定されるために必要な情報の収集を行わせるものであればいかなる情報であってもよい。問題情報及び正答情報としては、例えば、子供が学習するための情報、すなわち、英語の不規則動詞、世界各国の国旗・首都、元素記号、都道府県庁所在地、計算ドリル等が想定され、あるいは、新入社員が学習するための情報、すなわち、会社情報、社訓、マナー、言葉遣い等が想定される。このような問題情報及び正答情報は、手動で出題端末２に入力されたり、出題端末２内の人工知能（ＡＩ）によって生成されたり、あるいは、通信端末３から投稿されたりする。
【００２３】
通信端末３は、インターネットＩＮに接続されている一般的な通信端末であり、例えば、スマートフォンやタブレット等の携帯通信端末、パーソナルコンピューター、テレビ受像機等が想定される。本実施形態では、通信端末３として、スマートフォンの場合を例に説明する。なお、ここでは、本発明に関連する構成を中心に説明し、本来の通信端末３等の構成についての説明は割愛する。
【００２４】
図２に示すように、通信端末３は、ＣＰＵ１０と、ＲＡＭ１１と、ＲＯＭ１２と、不揮発性メモリ１３と、タッチパネル１４と、マイク１５と、スピーカー１６と、信号処理部１７と、通信部１８と、等を備えている。
【００２５】
ＣＰＵ（Central Processing Unit）１０は、各種プログラム（アプリ）を実行することによって、表示制御部２０、時計部２１、時刻判定部２２、問題取得部２３、正誤判定部２４、ロック・解除部２５等の各種機能を実現して、通信端末３を統括的に制御する。ＲＡＭ（Random Access Memory）１１は、ＣＰＵ１０の作業領域として使用される。ＲＯＭ（Read Only Memory）１２は、ＣＰＵ１０で実行される基本ＯＳや各種プログラムを記憶している。不揮発性メモリ１３は、電話帳（電話番号、メールアドレス等）、送受信した電子メールやメッセージ、写真、音声、問題情報及び正答情報等の各種データを記録している。
【００２６】
タッチパネル１４は、ユーザーがタッチしたことを認識して入力として受け付けると共に、表示制御部２０によって制御されることで各種画像をスクロール可能に表示する。すなわち、タッチパネル１４は、通信端末３の所定の機能のロックが行われる時刻が入力可能な時刻入力部として機能し、問題情報の内容及び量を設定するための設定情報が入力可能な設定情報入力部として機能し、問題情報を出力する問題出力部として機能し、且つ出力した問題情報に対応する解答情報が入力可能な解答入力部として機能する。
【００２７】
具体的に、タッチパネル１４は、時刻入力部として機能する場合、入力された時刻を時刻判定部２２に入力する。また、タッチパネル１４は、設定情報入力部として機能する場合、入力された設定情報を問題取得部２３に入力する。さらに、タッチパネル１４は、解答入力部として機能する場合、入力された解答情報を正誤判定部２４に入力する。
【００２８】
マイク１５は、音声の入力を信号として受け付ける。スピーカー１６は、信号を音声にして出力する。信号処理部１７は、マイク１５が受け付けた信号を所望の形式に変換してから通信部１８に引き渡すと共に、通信部１８から引き渡された信号を所望の形式に変換してからスピーカー１６に引き渡す。通信部１８は、タッチパネル１４やマイク１５からの入力等に基づいて、出題端末２や他の通信端末３等との通信を行う。
【００２９】
表示制御部２０は、タッチパネル１４からの入力や、通信部１８が受信したり不揮発性メモリ１３に記録されたりしている情報等に基づいて、タッチパネル１４の表示の態様を制御する。具体的に、表示制御部２０は、出題端末２（図１参照）から取得された問題情報をタッチパネル１４に表示したりする（図６参照）。
【００３０】
時計部２１は、インターネットＩＮを経由して取得される時刻情報に基づいて、現在の時刻を刻み、その時刻を時刻判定部２２に入力する。時刻判定部２２は、時刻入力部として機能するタッチパネル１４で入力された時刻が現在の時刻に一致するか否かを判定し、その判定結果をロック・解除部２５に入力する。
【００３１】
問題取得部２３は、設定情報入力部として機能するタッチパネル１４で入力された設定情報に基づいて、インターネットＩＮを経由して出題端末２から問題情報及び正答情報を取得し、その問題情報及び正答情報を不揮発性メモリ１３に入力する。正誤判定部２４は、解答入力部として機能するタッチパネル１４で入力された解答情報が、問題取得部２３で取得された正答情報に一致するか否かで正誤（正解、不正解）を判定し、その判定結果をロック・解除部２５に入力する。
【００３２】
ロック・解除部２５は、所定の条件を満たすことで通信端末３の所定の機能のロックを行う。具体的に、ロック・解除部２５は、時刻判定部２２で、現在の時刻が時刻入力部として機能するタッチパネル１４で入力された時刻に一致すると判定されたことを契機に、通信端末３の所定の機能のロックを行う。また、ロック・解除部２５は、正誤判定部２４で正解と判定された場合や、管理者画面（図４参照）において、事前に設定されている正しいパスワードがテキストボックス４０（図４参照）に入力されている状態で「特別解除」ボタン４２（図４参照）がタッチされた場合に、通信端末３の所定の機能のロックの解除を行う。すなわち、正誤判定部２４で不正解と判定された場合には、ロック・解除部２５は、通信端末３の所定の機能のロックの解除を行わない。
【００３３】
図３に示すように、通信端末３の所定の機能のロックが行われたタッチパネル１４には、表示制御部２０（図２参照）の制御によって、スタート画面の画像が表示される。スタート画面としてのタッチパネル１４には、所定の説明文が表示されると共に、「質問に答える」ボタン３０と、「緊急モード」ボタン３１と、「管理者画面」ボタン３２と、等が表示される。
【００３４】
「質問に答える」ボタン３０は、タッチされることで、タッチパネル１４に表示させる画像をスタート画面から解答画面（図６参照）に遷移させるボタンである。「緊急モード」ボタン３１は、タッチされることで、タッチパネル１４に表示させる画像をスタート画面から緊急画面（図７参照）に遷移させるボタンである。「管理者画面」ボタン３２は、タッチされることで、タッチパネル１４に表示させる画像をスタート画面から１番目の管理者画面（図４参照）に遷移させるボタンである。
【００３５】
図４に示すように、スタート画面（図３参照）で「管理者画面」ボタン３２（図３参照）がタッチされたタッチパネル１４には、表示制御部２０（図２参照）の制御によって、１番目の管理者画面が表示される。１番目の管理者画面としてのタッチパネル１４には、所定の説明文が表示されると共に、テキストボックス４０と、「ＯＫ」ボタン４１と、「特別解除」ボタン４２と、「戻る」ボタン４３と、等が表示される。
【００３６】
テキストボックス４０は、パスワードを入力するためのスペースである。「ＯＫ」ボタン４１は、事前に設定されている正しいパスワードがテキストボックス４０に入力されている状態でタッチされることで、タッチパネル１４に表示させる画像を１番目の管理者画面から２番目の管理者画面（図５参照）に遷移させるボタンである。「特別解除」ボタン４２は、事前に設定されている正しいパスワードがテキストボックス４０に入力されている状態でタッチされることで、通信端末３の所定の機能のロックの解除を行わせ、タッチパネル１４に通信端末３のホーム画面（図示省略）を表示させるボタンである。「戻る」ボタン４３は、タッチされることで、タッチパネル１４に表示させる画像を１番目の管理者画面からスタート画面（図３参照）に遷移させるボタンである。
【００３７】
図５に示すように、１番目の管理者画面（図４参照）において、事前に設定されている正しいパスワードがテキストボックス４０（図４参照）に入力されている状態で「ＯＫ」ボタン４１がタッチされたタッチパネル１４には、表示制御部２０（図２参照）の制御によって、２番目の管理者画面が表示される。２番目の管理者画面としてのタッチパネル１４には、所定の説明文が表示されると共に、複数のプルダウンボタン５０，５１，５２と、「ＯＫ」ボタン５３と、「戻る」ボタン５４と、等が表示される。
【００３８】
プルダウンボタン５０，５１，５２は、タッチされることでメニューリストを表示させると共に、メニューリストの項目を選択させるボタンである。プルダウンボタン５０がタッチされることで表示されるメニューリストは、通信端末３の所定の機能のロックが行われる時刻を一覧にしたものである。このメニューリストには、例えば、「午前５時」、「午前６時」、「午前７時」、「午前８時」等の項目が列挙される。プルダウンボタン５１がタッチされることで表示されるメニューリストは、解答画面（図６参照）に表示させる問題情報の内容を一覧にしたものである。このメニューリストには、例えば、「○○新聞」、「××新聞」、「△△新聞」、「小学生カリキュラム」、「中学生カリキュラム」、「高校生カリキュラム」、「ＣＭでデータ量ＧＥＴ！」等の項目が列挙される。プルダウンボタン５２がタッチされることで表示されるメニューリストは、解答画面（図６参照）に表示させる問題情報の量（解答に要する時間）を一覧にしたものである。このメニューリストには、例えば、「１０分」、「２０分」、「３０分」、「１時間」、「２時間」等の項目が列挙される。
【００３９】
「ＯＫ」ボタン５３は、全てのプルダウンボタン５０，５１，５２でいずれかの項目が選択されている状態でタッチされることで、通信端末３の所定の機能のロックが行われる条件を、プルダウンボタン５０，５１，５２で選択された項目に決定するボタンである。「戻る」ボタン５４は、タッチされることで、タッチパネル１４に表示させる画像を２番目の管理者画面から１番目の管理者画面（図４参照）に遷移させるボタンである。
【００４０】
図６に示すように、スタート画面（図３参照）で「質問に答える」ボタン３０（図３参照）がタッチされたタッチパネル１４には、表示制御部２０（図２参照）の制御によって、解答画面が表示される。解答画面としてのタッチパネル１４には、所定の説明文が表示されると共に、複数の問題情報６０と、複数のテキストボックス６１と、「解除」ボタン６２と、「戻る」ボタン６３と、等が表示される。
【００４１】
複数のテキストボックス６１は、問題情報６０に対応する解答情報を入力するためのスペースであり、複数の問題情報６０に一対一で対応する。「解除」ボタン６２は、正答情報に一致する解答情報が全てのテキストボックス６１に入力されている状態でタッチされることで、通信端末３の所定の機能のロックの解除を行わせ、タッチパネル１４に通信端末３のホーム画面（図示省略）を表示させるボタンである。「戻る」ボタン６３は、タッチされることで、タッチパネル１４に表示させる画像を解答画面からスタート画面（図３参照）に遷移させるボタンである。
【００４２】
なお、「正答情報に一致する解答情報が全てのテキストボックス６１に入力されている状態」以外の状態で「解除ボタン」６２がタッチされた場合には、通信端末３の所定の機能のロックの解除は行われず、引き続き、複数のテキストボックス６１への入力が可能な状態が維持される。
【００４３】
なお、２０１８年５月１日付けの読売新聞（登録商標）の朝刊に基づく問題情報及び正答情報は、例えば、以下の通りである。
【００４４】
［問題情報１］
一面から：北朝鮮が制裁逃れのために公海上で「※※※」と呼ばれる密輸取引を行っている問題で・・・。
【００４５】
［正答情報１］
「瀬取り」
【００４６】
［問題情報２］
社説から：政府は憲法に基づく専守防衛の立場から、「攻撃型空母」について「※※※※※※※」との見解を示してきた。
【００４７】
［正答情報２］
「保有は許さない」
【００４８】
・・・（中略）・・・
【００４９】
［問題情報９］
スポーツ面から：過去にほとんど例のない投打の二刀流に挑む若者は「日本の※※※※※※※」と呼ばれ・・・。
【００５０】
［正答情報９］
「ベーブ・ルース」
【００５１】
［問題情報１０］
社会面から：平尾容疑者は（中略）〜逃走した動機に関しては「※※※※※※※※※※※※※※※」と話しているという。
【００５２】
［正答情報１０］
「刑務所内の人間関係が嫌になった」
【００５３】
図７に示すように、スタート画面（図３参照）で「緊急モード」ボタン３１（図３参照）がタッチされたタッチパネル１４には、表示制御部２０（図２参照）の制御によって、緊急画面が表示され、電話等の一部の機能等が使用可能になる。
【００５４】
以上のように、本実施形態に係るロック解除システム１は、出題端末２が提供する問題情報及び当該問題情報に紐付いた正答情報を利用して、通信端末３における所定の機能のロックの解除を行うシステムである。通信端末３は、インターネットＩＮを経由して出題端末２から問題情報及び正答情報を取得する問題取得部２３と、問題取得部２３で取得された問題情報を出力すると共に、出力した問題情報に対応する解答情報が入力可能なタッチパネル１４と、タッチパネル１４で入力された解答情報が問題取得部２３で取得された正答情報に一致するか否かで正誤を判定する正誤判定部２４と、所定の条件を満たすことで当該通信端末３における所定の機能のロックを行うと共に、正誤判定部２４で正解と判定された場合に当該通信端末３における所定の機能のロックの解除を行うロック・解除部２５と、を備えている。
【００５５】
問題情報及び正答情報は、逐次刊行物に基づくものであり、且つ逐次変更されるものである。
【００５６】
通信端末３は、現在の時刻を刻む時計部２１と、当該通信端末３における所定の機能のロックが行われる時刻が入力可能なタッチパネル１４と、タッチパネル１４で入力された時刻が現在の時刻と一致するか否かを判定する時刻判定部２２と、を備えている。ロック・解除部２５は、時刻判定部２２で、現在の時刻がタッチパネル１４で入力された時刻に一致すると判定されたことを契機に当該通信端末３における所定の機能のロックを行う。
【００５７】
通信端末３は、問題情報の内容及び量を設定するための設定情報が入力可能なタッチパネル１４を備えている。問題取得部２３は、タッチパネル１４で入力された設定情報に基づいて、問題情報及び正答情報を取得する。
【００５８】
このようなロック解除システム１を実現するために、通信端末３には、ダウンロードされた専用のロック解除プログラム（アプリ）がインストールされている。
【００５９】
このようなロック解除システム１によれば、所定の条件を満たすことで通信端末３における所定の機能のロックが行われるので、通信端末３の利用に制限を設けることができる。また、出題端末２から取得した問題情報に解答させ、正解と判定されることでロックの解除が行われるので、通信端末３を利用するユーザーに対し、正解と判定されるために必要な情報の収集を行わせることになる。すなわち、幅広い視野を持つための情報を多く収集させる環境を作ることができる。これにより、通信端末３を利用するユーザーに取得される情報の偏りを減らすことができる。結果、通信端末３を利用するユーザーの人間形成に寄与することができる。
【００６０】
また、ロック解除システム１によれば、通信端末３を利用するユーザーに対し、逐次刊行物に基づく情報の収集を行わせることになる。これにより、通信端末３を利用するユーザーに取得される情報の偏りを大きく減らすことができる。結果、通信端末３を利用するユーザーの人間形成に大きく寄与することができる。
【００６１】
また、ロック解除システム１によれば、通信端末３を利用するユーザーに対し、情報の収集を逐次行わせることになる。これにより、通信端末３を利用するユーザーに取得される情報の偏りを大きく減らすことができる。結果、通信端末３を利用するユーザーの人間形成に大きく寄与することができる。
【００６２】
また、ロック解除システム１によれば、通信端末３を利用するユーザーの能力に応じて問題情報の内容及び量を設定しておくことで、ユーザーに対し、その能力に応じて情報の収集を行わせることができる。これにより、通信端末３を利用するユーザーに取得される情報の偏りを、ユーザーの能力に応じて減らすことができる。結果、通信端末３を利用するユーザーの人間形成に、ユーザーの能力に応じて寄与することができる。
【００６３】
なお、ロック解除システム１は、スマートフォンやタブレットの「画面ロックの新しい形」である。従来、スマートフォンやタブレットの情報を守るためにパターンやパスワード、指紋認証を使って画面をロックすることが一般的である。しかし、本発明者が発明した新しいスタイルの画面ロックは、画面ロックアプリを利用して、管理者が指定したカテゴリー（新聞等）の質問にユーザーが答え、その日一日のスマートフォンやタブレットの使用が可能になるシステムである。すなわち、スマートフォンやタブレットの情報を守るためではなく、スマートフォンやタブレットを使用する権利のために、例えば毎朝１０分程度の苦手な勉強を行わせるシステムである。スマートフォンやタブレットの依存度が高くなってきている若い世代に、常識力や知識のバランスをもたらすためのアプリケーションである。ロックの解除は強制ではないので、ロックの解除を実行しなければスマートフォンやタブレットの様々な高機能（特に若者に必要なＳＮＳ）等が使用できなくなるだけで、緊急時長持ちモードのような電話・メール・ＳＭＳ等は使用可能である。スマートフォンやタブレットが使えなくなるよりはと、若い世代は必死に画面ロックを解除することを期待するものである。携帯端末絶対主義の若い世代の気持ちを逆手にとって、バランスのある知識を身に着けさせるアプリケーションである。
【００６４】
ロック解除システム１をイメージし易くするために例で説明する。例えば、大学１年の学生（スマートフォンのユーザー）は、月間３０ＧＢのデータ通信量を使用している。しかし、ＳＮＳや動画サイトの情報がほとんどであるため、偏った情報を取得している可能性が非常に高いと危惧される。自分好みの偏った意見が多く集うＳＮＳやフェイクニュースのはびこるインターネットからの情報収集は、若い世代の人間形成に難があると考えている親は多いと想像できる。親としては「スマートフォンも良いけどせめて新聞くらいは読んでほしい」と思うことがしばしばあるが、ニュースはスマートフォンやタブレットでも読むことができると子供に聞き入れてもらえないケースが多いと想像できる。専門家が取材、検証し、正しい言葉で校閲され、カテゴリー別に優先順位に沿って掲載されている紙の新聞が、自分の興味があるものだけを収集する検索型のインターネットの情報に劣っているとは考えにくい。そこで、画面ロックアプリケーションを子供（ユーザー）のスマートフォンに親（管理者）がインストールする。インストールされた子供のスマートフォンは、例えば毎朝７時に画面がロックされるので、子供はそれを解除するために新聞を開き、毎日の記事からキーワードを入力しなければならない。子供は、解答し解除ボタンを押せば、一日自由にスマートフォンやタブレットを使用することができる。
【００６５】
答え（正答）は新聞に出ているので、全ページをめくって探す必要はあるが、難しいことはない。しかし、毎日新聞を開くことを習慣にできれば、その中にある他の記事や広告等から、スマートフォンやタブレットだけで情報を収集することより有意義な知識が得られる。何より、親は子供が新聞を開いている姿を毎日見たいものである。また、電車等で新聞を手にしている若い世代を見かけたいものである。スマートフォンやタブレットは便利であるが、それだけでは常識力は養えないと新聞が見直される時代に、ロック解除システム１があることで備えることができる。
【００６６】
他にも汎用性がある。早ければ小学校４年生程度から、スマートフォンやタブレットを手にする子供もいる。その子供たちが学校から帰ってきたらスマートフォンやタブレットを触りたくなるのは当然で、依存度がひどい場合には、親としては取り上げるか時間的な使用制限を設けるしかない。しかし、友達との連絡やコミュニケーションを考えると、スマートフォンやタブレットを取り上げることで円滑な関係が保てなくなることが懸念される。そこで、スマートフォンやタブレットを使用しても構わない代わりに、その年代にあった学習を画面ロックに盛り込むことがロック解除システム１によって実現される。量や掛かる時間もアプリケーションで自由に設定できる。夏休みには設問を多くして、それができたらスマートフォンやタブレットを自由に使ってよいと許可することもできる。
【００６７】
本発明は、上記実施形態に限られるものではなく、その趣旨及び技術思想を逸脱しない範囲で種々の変形が可能である。すなわち、各構成の数量、順序、配置、形状などは適宜変更できる。
【００６８】
具体的に、上記実施形態では、タッチパネル１４が時刻入力部、設定情報入力部、解答入力部として機能する場合を例に説明したが、本発明はこれに限定されるものではなく、例えば、マイク１５が時刻入力部、設定情報入力部、解答入力部として機能するものであってもよい。
【００６９】
あるいは、上記実施形態では、タッチパネル１４が問題出力部として機能する場合を例に説明したが、本発明はこれに限定されるものではなく、例えば、スピーカー１６が問題出力部として機能するものであってもよい。
【００７０】
あるいは、上記実施形態では、時刻判定部２３で、現在の時刻が時刻入力部として機能するタッチパネル１４で入力された時刻に一致すると判定されたことを契機に、ロック・解除部２５が通信端末３の所定の機能のロックを行う場合を例に説明したが、本発明はこれに限定されるものではない。例えば、使用したデータ通信量が事前に設定されたデータ通信量に達したことを契機に、ロック・解除部２５が通信端末３の所定の機能のロックを行うものであってもよい。
【符号の説明】
【００７１】
１  ロック解除システム
２  出題端末
３  通信端末
１０  ＣＰＵ
１１  ＲＡＭ
１２  ＲＯＭ
１３  不揮発性メモリ
１４  タッチパネル（時刻入力部、設定情報入力部、問題出力部、解答入力部）
１５  マイク
１６  スピーカー
１７  信号処理部
１８  通信部
２０  表示制御部
２１  時計部
２２  時刻判定部
２３  問題取得部
２４  正誤判定部
２５  ロック・解除部
３０  「質問に答える」ボタン
３１  「緊急モード」ボタン
３２  「管理者画面」ボタン
４０  テキストボックス
４１  「ＯＫ」ボタン
４２  「特別解除」ボタン
４３  「戻る」ボタン
５０，５１，５２  プルダウンボタン
５３  「ＯＫ」ボタン
５４  「戻る」ボタン
６０  問題情報
６１  テキストボックス
６２  「解除」ボタン
６３  「戻る」ボタン
ＩＮ  インターネット
【図１】
2019207309.tif 000003
【図２】
2019207309.tif 000004
【図３】
2019207309.tif 000005
【図４】
2019207309.tif 000006
【図５】
2019207309.tif 000007
【図６】
2019207309.tif 000008
【図７】
2019207309.tif 000009
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
出題端末が提供する問題情報及び該問題情報に紐付いた正答情報を利用して、通信端末における所定の機能のロックの解除を行うロック解除システムであって、
前記通信端末は、
現在の時刻を刻む時計部と、
前記ロックが行われる時刻が入力可能な時刻入力部と、
前記時刻入力部で入力された時刻が現在の時刻と一致するか否かを判定する時刻判定部と、
インターネットを経由して前記出題端末から前記問題情報及び前記正答情報を取得する問題取得部と、
前記問題取得部で取得された前記問題情報を出力する問題出力部と、
前記問題出力部で出力された前記問題情報に対応する解答情報が入力可能な解答入力部と、
前記解答入力部で入力された前記解答情報が前記問題取得部で取得された前記正答情報に一致するか否かで正誤を判定する正誤判定部と、
前記時刻判定部で、現在の時刻が前記時刻入力部で入力された時刻に一致すると判定されたことを契機に前記ロックを行うと共に、前記正誤判定部で正解と判定された場合に前記解除を行うロック・解除部と、を備えていることを特徴とする
ロック解除システム。
【請求項２】
前記問題情報及び前記正答情報は、逐次刊行物に基づくものであり、且つ逐次変更されるものであることを特徴とする
請求項１に記載のロック解除システム。
【請求項３】
前記通信端末は、前記問題情報の内容及び量を設定するための設定情報が入力可能な設定情報入力部を備え、
前記問題取得部は、前記設定情報入力部で入力された前記設定情報に基づいて、前記問題情報及び前記正答情報を取得することを特徴とする
請求項１又は２に記載のロック解除システム。
【請求項４】
請求項１〜３のいずれかに記載のロック解除システムを実現するために、前記通信端末にインストールされることを特徴とするロック解除プログラム。
【手続補正２】
【補正対象書類名】明細書
【補正対象項目名】０００７
【補正方法】変更
【補正の内容】
【０００７】
（１）本発明は、出題端末が提供する問題情報及び該問題情報に紐付いた正答情報を利用して、通信端末における所定の機能のロックの解除を行うロック解除システムであって、前記通信端末は、現在の時刻を刻む時計部と、前記ロックが行われる時刻が入力可能な時刻入力部と、前記時刻入力部で入力された時刻が現在の時刻と一致するか否かを判定する時刻判定部と、インターネットを経由して前記出題端末から前記問題情報及び前記正答情報を取得する問題取得部と、前記問題取得部で取得された前記問題情報を出力する問題出力部と、前記問題出力部で出力された前記問題情報に対応する解答情報が入力可能な解答入力部と、前記解答入力部で入力された前記解答情報が前記問題取得部で取得された前記正答情報に一致するか否かで正誤を判定する正誤判定部と、前記時刻判定部で、現在の時刻が前記時刻入力部で入力された時刻に一致すると判定されたことを契機に前記ロックを行うと共に、前記正誤判定部で正解と判定された場合に前記解除を行うロック・解除部と、を備えていることを特徴とするロック解除システムである。
【手続補正３】
【補正対象書類名】明細書
【補正対象項目名】０００８
【補正方法】変更
【補正の内容】
【０００８】
本発明によれば、所定の時刻に通信端末における所定の機能のロックが行われるので、通信端末の利用に制限を設けることができる。また、出題端末から取得した問題情報に解答させ、正解と判定されることでロックの解除が行われるので、通信端末を利用するユーザーに対し、正解と判定されるために必要な情報の収集を行わせることになる。すなわち、幅広い視野を持つための情報を多く収集させる環境を作ることができる。これにより、通信端末を利用するユーザーに取得される情報の偏りを減らすことができる。結果、通信端末を利用するユーザーの人間形成に寄与することができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
（３）本発明はまた、前記通信端末は、前記問題情報の内容及び量を設定するための設定情報が入力可能な設定情報入力部を備え、前記問題取得部は、前記設定情報入力部で入力された前記設定情報に基づいて、前記問題情報及び前記正答情報を取得することを特徴とする上記（１）又は（２）に記載のロック解除システムである。
【手続補正７】
【補正対象書類名】明細書
【補正対象項目名】００１５
【補正方法】変更
【補正の内容】
【００１５】
（４）本発明はまた、上記（１）〜（３）のいずれかに記載のロック解除システムを実現するために、前記通信端末にインストールされることを特徴とするロック解除プログラムである。
【手続補正８】
【補正対象書類名】明細書
【補正対象項目名】００１７
【補正方法】変更
【補正の内容】
【００１７】
本発明の上記（１）〜（３）に記載のロック解除システム、及び上記（４）に記載のロック解除プログラムによれば、通信端末を利用するユーザーに取得される情報の偏りを減らすことができる。ひいては、通信端末を利用するユーザーの人間形成に寄与することができる。
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
出題端末が提供する問題情報及び該問題情報に紐付いた正答情報を利用して、通信端末における所定の機能のロックの解除を行うロック解除システムであって、
前記通信端末は、
現在の時刻を刻む時計部と、
前記ロックが行われる時刻が入力可能な時刻入力部と、
前記時刻入力部で入力された時刻が現在の時刻と一致するか否かを判定する時刻判定部と、
インターネットを経由して前記出題端末から前記問題情報及び前記正答情報を取得する問題取得部と、
前記問題取得部で取得された前記問題情報を出力する問題出力部と、
前記問題出力部で出力された前記問題情報に対応する解答情報が入力可能な解答入力部と、
前記解答入力部で入力された前記解答情報が前記問題取得部で取得された前記正答情報に一致するか否かで正誤を判定する正誤判定部と、
前記時刻判定部で、現在の時刻が前記時刻入力部で入力された時刻に一致すると判定されたことを契機に前記ロックを行うと共に、前記正誤判定部で正解と判定された場合に前記解除を行うロック・解除部と、を備え、
前記問題情報及び前記正答情報は、紙で発行される新聞に基づくものであり、且つ逐次変更されるものであることを特徴とする
ロック解除システム。
【請求項２】
前記通信端末は、前記問題情報の内容及び量を設定するための設定情報が入力可能な設定情報入力部を備え、
前記問題取得部は、前記設定情報入力部で入力された前記設定情報に基づいて、前記問題情報及び前記正答情報を取得することを特徴とする
請求項１に記載のロック解除システム。
【請求項３】
請求項１又は２に記載のロック解除システムを実現するために、前記通信端末にインストールされることを特徴とするロック解除プログラム。
【手続補正２】
【補正対象書類名】明細書
【補正対象項目名】０００７
【補正方法】変更
【補正の内容】
【０００７】
（１）本発明は、出題端末が提供する問題情報及び該問題情報に紐付いた正答情報を利用して、通信端末における所定の機能のロックの解除を行うロック解除システムであって、前記通信端末は、現在の時刻を刻む時計部と、前記ロックが行われる時刻が入力可能な時刻入力部と、前記時刻入力部で入力された時刻が現在の時刻と一致するか否かを判定する時刻判定部と、インターネットを経由して前記出題端末から前記問題情報及び前記正答情報を取得する問題取得部と、前記問題取得部で取得された前記問題情報を出力する問題出力部と、前記問題出力部で出力された前記問題情報に対応する解答情報が入力可能な解答入力部と、前記解答入力部で入力された前記解答情報が前記問題取得部で取得された前記正答情報に一致するか否かで正誤を判定する正誤判定部と、前記時刻判定部で、現在の時刻が前記時刻入力部で入力された時刻に一致すると判定されたことを契機に前記ロックを行うと共に、前記正誤判定部で正解と判定された場合に前記解除を行うロック・解除部と、を備え、前記問題情報及び前記正答情報は、紙で発行される新聞に基づくものであり、且つ逐次変更されるものであることを特徴とするロック解除システムである。
【手続補正３】
【補正対象書類名】明細書
【補正対象項目名】０００８
【補正方法】変更
【補正の内容】
【０００８】
本発明によれば、所定の時刻に通信端末における所定の機能のロックが行われるので、通信端末の利用に制限を設けることができる。また、出題端末から取得した問題情報に解答させ、正解と判定されることでロックの解除が行われるので、通信端末を利用するユーザーに対し、正解と判定されるために必要な情報の収集を行わせることになる。すなわち、幅広い視野を持つための情報を多く収集させる環境を作ることができる。これにより、通信端末を利用するユーザーに取得される情報の偏りを減らすことができる。結果、通信端末を利用するユーザーの人間形成に寄与することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】変更
【補正の内容】
【００１３】
（２）本発明はまた、前記通信端末は、前記問題情報の内容及び量を設定するための設定情報が入力可能な設定情報入力部を備え、前記問題取得部は、前記設定情報入力部で入力された前記設定情報に基づいて、前記問題情報及び前記正答情報を取得することを特徴とする上記（１）に記載のロック解除システムである。
【手続補正７】
【補正対象書類名】明細書
【補正対象項目名】００１５
【補正方法】変更
【補正の内容】
【００１５】
（３）本発明はまた、上記（１）又は（２）に記載のロック解除システムを実現するために、前記通信端末にインストールされることを特徴とするロック解除プログラムである。
【手続補正８】
【補正対象書類名】明細書
【補正対象項目名】００１７
【補正方法】変更
【補正の内容】
【００１７】
本発明の上記（１）及び（２）に記載のロック解除システム、並びに上記（３）に記載のロック解除プログラムによれば、通信端末を利用するユーザーに取得される情報の偏りを減らすことができる。ひいては、通信端末を利用するユーザーの人間形成に寄与することができる。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
出題端末が提供する問題情報及び該問題情報に紐付いた正答情報を利用して、通信端末における所定の機能のロックの解除を行うロック解除システムであって、
前記通信端末は、
現在の時刻を刻む時計部と、
前記ロックが行われる時刻が入力可能な時刻入力部と、
前記時刻入力部で入力された時刻が現在の時刻と一致するか否かを判定する時刻判定部と、
インターネットを経由して前記出題端末から前記問題情報及び前記正答情報を取得する問題取得部と、
前記問題取得部で取得された前記問題情報を出力する問題出力部と、
前記問題出力部で出力された前記問題情報に対応する解答情報が入力可能な解答入力部と、
前記解答入力部で入力された前記解答情報が前記問題取得部で取得された前記正答情報に一致するか否かで正誤を判定する正誤判定部と、
前記時刻判定部で、現在の時刻が前記時刻入力部で入力された時刻に一致すると判定されたことを契機に前記ロックを行うと共に、前記正誤判定部で正解と判定された場合に前記解除を行うロック・解除部と、を備え、
前記問題情報及び前記正答情報は、紙で発行される新聞に基づくものであり、且つ逐次変更されるものであることを特徴とする
ロック解除システム。
【請求項２】
請求項１に記載のロック解除システムを実現するために、前記通信端末にインストールされることを特徴とするロック解除プログラム。
【手続補正２】
【補正対象書類名】明細書
【補正対象項目名】００１３
【補正方法】削除
【補正の内容】
【手続補正３】
【補正対象書類名】明細書
【補正対象項目名】００１５
【補正方法】変更
【補正の内容】
【００１５】
（２）本発明はまた、上記（１）に記載のロック解除システムを実現するために、前記通信端末にインストールされることを特徴とするロック解除プログラムである。
【手続補正４】
【補正対象書類名】明細書
【補正対象項目名】００１７
【補正方法】変更
【補正の内容】
【００１７】
本発明の上記（１）に記載のロック解除システム、及び上記（２）に記載のロック解除プログラムによれば、通信端末を利用するユーザーに取得される情報の偏りを減らすことができる。ひいては、通信端末を利用するユーザーの人間形成に寄与することができる。